(57)【要約】      （修正有）【課題】フロント部及びツルが二つ折りされて折畳まれる折畳み式メガネを提供する。【解決手段】フロント部１は連結部９を中心として左フロント部３と右フロント部４が上方へ旋回して二つ折りされ、上記連結部９にはフロント部１が開いた状態で固定する為にロック機構を備え、また、ツル２は中間部位に設けた従継手１１を介して二つ折りされ、そして二つ折りされたツル２はそのフロント部側ツル片１２が左フロント部３及び右フロント部４の背面側に位置し、先端部側ツル片１３は左フロント部３及び右フロント部４の正面側に位置するようになる。【選択図】図１
2016020958.tif 000002
【特許請求の範囲】
【請求項１】
フロント部及びツルが二つ折りされて折畳まれる折畳み式メガネにおいて、フロント部は連結部を中心として左フロント部と右フロント部が上方へ旋回して二つ折りされ、上記連結部にはフロント部が開いた状態で固定する為にロック機構を備え、また、フロント部の両側端に取付けたツルはフロント部側に設けた主継手を介して折畳まれると共に、中間部位に設けた従継手を介して二つ折りされ、そして二つ折りされた各ツルはそのフロント部側ツル片が左フロント部及び右フロント部の背面側に位置し、先端部側ツル片は左フロント部及び右フロント部の正面側に位置するようにしたことを特徴とする折畳み式メガネ。
【請求項２】
上記連結部には左フロント部と右フロント部を繋ぐ為に連結プレートを設けて軸ネジなどの継手を介して連結し、そして、ロック機構として該連結プレートには凸部を設け、フロント部が開いた状態で連結片に形成した凹部に上記凸部が係合するようにした請求項１記載の折畳み式メガネ。
【請求項３】
上記連結部には左フロント部と右フロント部を繋ぐ為に連結プレートを設けて軸ネジなどの継手を介して連結し、そして、ロック機構として該連結プレートには凹部を形成し、フロント部が開いた状態で連結片に形成した凸部に上記凹部が係合するようにした請求項１記載の折畳み式メガネ。
【発明の詳細な説明】
【技術分野】
【０００１】
本発明は、カバンに入れて携帯するためにメガネケースに収容することが出来る折畳み式メガネに関するものである。
【背景技術】
【０００２】
近眼用のメガネの場合には常に着用しているが、老眼用のメガネであれば、細かい仕事をしたり、新聞や雑誌を読む時にのみ掛けることが多い。そこで、老眼用メガネはカバンやスーツのポケットに入れて携帯することが常であり、メガネケースに収容出来る構造と成っている。
【０００３】
一般的なメガネはフロント部と該フロント部の両側に取付けた２本のツルから成り、該ツルは継手を介して折畳み出来るように連結している。メガネケースに収容する場合には、２本のツルは折畳まれるが、ケースの外形は大きくなり、カバンに入れる際には嵩張ることになる。
特に、従来の一般的なメガネのように２本のツルを折畳んでメガネケースに収容した状態ではスーツのポケットに入れて持ち歩くには不便である。
【０００４】
ところで、従来では上記ツルがフロント部の背面側に重なり合うように折畳まれるだけでなく、フロント部及びツルを２つ折りして手の平に載る程度のコンパクトな大きさに折畳み、この状態でメガネケースに収容して携帯するようにした折畳み式メガネが知られている。
【０００５】
例えば、特開２０００−６６１４４号に係る「折り畳み式眼鏡」は、使用状態においては、リムは同一平面内に配置されており、すなわち、一対のレンズについても同一平面内に配置されることになり、また、折り畳む場合には、各回動軸を中心にリムを折り畳むと、リムとリムが干渉することなく（レンズ同士が干渉することもなく）、リムとリムとを重ね合わせた状態に折り畳むことが可能となる。
【０００６】
フロント部及びツル共に二つ折りした状態で折畳まれるが、レンズの凹状背面側に二つ折りしたツルが位置し、その為に折畳まれた状態での厚みが大きく成る。そして、フロント部を二つ折りして重ね合わせ、ツルも二つ折りして重ね合わせる構造である為に、折畳み形態が複雑化してメガネ全体の剛性が低下し、顔に着用した場合の安定性が損なわれる。
【０００７】
特開平１１−１３３３６０号に係る「折り畳み式の眼鏡」は、成形が簡単で製作コストを低廉となし得る折り畳み式の眼鏡である。
左右一対のレンズ部を折り重ねると共に両つるを二重に折り畳んで全体に小さくコンパクト化した眼鏡であり、前記レンズ部を枠無しレンズとし、両枠無しレンズの中央に設けられる鼻当て部とつるの前端部を軸支するための軸承部とを前記枠無しレンズと共に合成樹脂により一体に形成して構成している。
【０００８】
この折畳み式メガネの場合、二つ折りしたフロント部は互いに重なり合うことはないが、二つ折りして折畳まれるツルは、レンズの背面側に位置すると共に該フロント部のレンズに直接接触する。その為に、該レンズ面にはキズが発生するといった問題がある。
【特許文献１】特開２０００−６６１４４号に係る「折り畳み式眼鏡」
【特許文献２】特開平１１−１３３３６０号に係る「折り畳み式の眼鏡」
【発明の開示】
【発明が解決しようとする課題】
【０００９】
このように、フロント部を二つ折りすると共に、ツルも二つ折りした状態で折畳むことで、非常にコンパクト化することは可能であるが、上記のごとき問題がある。本発明が解決しようとする課題はこれら問題点であり、二つ折りされたツルによってレンズの両面を挟んでキズが発生することはなく、またメガネとしての剛性も高くて掛け易い折畳み式メガネを提供する。
【課題を解決するための手段】
【００１０】
本発明に係る折畳み式メガネは、フロント部は二つ折りされ、ツルも二つ折りすることが出来る。ここで、フロント部は中央の連結部を中心として上方に回転して二つ折りされる。そして、ツルはフロント部側の主継手を介して折畳まれ、ツルの中間部位に従継手を設け、該従継手を介してフロント部側ツル片と先端部側ツル片が二つ折り出来るように連結している。ただし、ツル継手の具体的な構造は限定しない。
【００１１】
該ツルを二つ折りする場合には、フロント部側ツル片はレンズの背面側に位置し、先端側ツル片はレンズの正面側に位置する。すなわち、フロント部側ツル片と先端側ツル片にてレンズの両面を挟み込む状態で折畳むことが出来る。一方、フロント部は中央の連結部にて二つ折りされるが、メガネを顔に掛けた状態で連結部にて屈曲しないようにロック機構が設けられている。
【発明の効果】
【００１２】
本発明に係る折畳み式メガネは、フロント部及び２本のツルも二つ折りしてコンパクト化され、小さいメガネケースに収容して持ち歩くことが出来る。すなわち、スーツのポケットに入れることも出来る。そして、本発明のメガネは、そのフロント部が中央の連結部を中心として左フロント部と右フロント部は上方に旋回して二つ折りされ、二つ折りされるツルのフロント部側ツル片はレンズ背面側に位置し、先端部側ツル片はレンズの正面側に位置する。
【００１３】
すなわち、二つ折りされるフロント部側ツル片と先端部側ツル片にてレンズの両面側が挟まれる状態となり、メガネケースに収容した場合やテーブル上に置く際にもレンズ面が接することがない。従って、レンズ面のキズの発生を防止することが出来る折畳み形態と成っている。そして、連結部にはロック機構が設けられ、その為に、開いた状態のフロント部は該連結部にて屈曲することはなく、フロント部の剛性は高くなる。
【図面の簡単な説明】
【００１４】
【図１】本発明に係る折畳み式メガネを示す実施例で、フロント部及び両ツルが開いている状態。
【図２】フロント部の左フロント部及び右フロント部が中央連結部を中心として旋回している状態。
【図３】左フロント部のツルが主継手を介して折畳まれた場合。
【図４】左フロント部のツルが主継手を介して折畳まれ、さらに先端部側ツル片が従継手を介して折畳まれた場合。
【図５】左右フロント部が二つ折りされ、左フロント部のツルが主継手及び従継手を介して二つ折りされ、さらに右フロント部のツルが主継手を介して折畳まれた場合。
【図６】左右フロント部が二つ折りされ、左フロント部のツルが主継手及び従継手を介して二つ折りされ、さらに右フロント部のツルが主継手及び従継手を介して二つ折りされた場合。
【図７】フロント部が開いている場合の連結部に設けたロック機構を示す実施例。
【図８】フロント部が二つ折りされている場合の連結部に設けたロック機構を示す実施例。
【発明を実施するための形態】
【００１５】
図１は本発明に係る折畳み式メガネを示す実施例である。同図の１はフロント部、２，２はツルを表し、上記フロント部１は左フロント部３と右フロント部４から成り、左右フロント部３，４はリム５にレンズ６が嵌って構成している。そして、左右フロント部３，４の中央側には脚７、７が取着され、該脚７、７の先端には鼻当てパット８，８を取付けている。
【００１６】
ここで、上記左フロント部３及び右フロント部４は連結部９によって互いに連結してフロント部１を構成しているが、上記連結部９を中心として屈曲し、該フロント部１を二つ折りすることが出来る。すなわち、この連結部９には継手と成る軸ネジを設け、該軸ネジを介して左フロント部３及び右フロント部４の側端部が上方へ持ち上げられて旋回し、二つ折りされる。
ここで、上記連結部９に設けて左フロント部３及び右フロント部４を繋ぐ為の継手としては上記軸ネジに限定するものではない。例えば、継手として互いに係合する凸部と凹部を設けて繋ぐことも出来る。
【００１７】
一方、フロント部１はその両側にツル２，２が取付けられ、該ツル２，２はフロント部１の両側端に設けている主継手１０，１０を介して折畳むことが出来る。また、ツル２，２にはその中間部位に従継手１１，１１が設けられ、その為にツル２，２は上記従継手１１，１１を介して二つ折りすることが出来る。
【００１８】
図１はツル２，２を開くと共に延ばし、この状態でメガネを顔に掛けることが出来る。そして、メガネを外してメガネケースに収容する場合には、フロント部１及びツル２，２は二つ折りしてコンパクト化される。
図２〜図６は本発明の折畳み式メガネをメガネケースに収容する為に折畳む場合の各手順を示している。
【００１９】
図２はフロント部１を折畳む場合であり、左フロント部３及び右フロント部４は同図のように連結部９を中心として旋回することが出来る。この場合、左フロント部３及び右フロント部４に取付けられているツル２，２も同時に旋回することになる。
図３は左フロント部側のツル２を折畳んだ状態を示し、該ツル２は主継手１０を介して旋回して折畳まれる。この場合、主継手１０を介して折畳まれたツル２は左フロント部３の背面側に位置し、左フロント部３を越えてそのまま延びている。
【００２０】
図４は左フロント部側のツル２を二つ折りした場合であり、ツル２は従継手１１を介して折畳まれる。ツル２は従継手１１を中心にフロント部側にフロント部側ツル片１２と先端部に先端部側ツル片１３が設けられ、従継手１１を介してフロント部側ツル片１２と先端部側ツル片１３は二つ折りされる。
したがって、フロント部側ツル片１２は左フロント部３の背面側に位置し、折畳まれた先端部側ツル片１３は左フロント部３の正面側に位置する。すなわち、左フロント部３は二つ折りされたフロント部側ツル片１２と先端部側ツル片１３にて挟まれた状態となる。
【００２１】
図５は左フロント部３と右フロント部４を連結部９を中心にさらに屈曲して突合せ、右フロント部４のツル２を主継手１０を介して折畳んだ場合を示している。この場合、ツル２の先端部側ツル片１３は、折畳まれないでそのまま延びている。
図６は右フロント部４の先端部側ツル片１３を従継手１１を介して折畳んだ場合であり、左フロント部３と同じく右フロント部４も二つ折りされたフロント部側ツル片１２と先端部側ツル片１３にてその背面側及び正面側が挟まれた状態となる。
【００２２】
図６は本発明の折畳み式メガネが折畳まれてメガネケースに収容される状態であり、左右フロント部３，４はそれぞれフロント部側ツル片１２と先端部側ツル片１３とで挟まれ、メガネケースに収容してもレンズ面が直接接することはなく、該レンズ面にキズを発生しない。勿論、メガネケースに収容しないで、テーブル上や机に置く際にも、折畳むことでレンズ面は直接接しないことから、該レンズ面のキズ発生を抑制できる。
【００２３】
図７はフロント部１の連結部９の拡大図を示す実施例である。同図に示すように左フロント部３及び右フロント部４は折畳んで二つ折りすることは出来るが、開いた状態でロックされるように構成している。すなわち、左フロント部３と右フロント部４は連結プレート１４にて連結され、該連結プレート１４は左フロント部３及び右フロント部４から中央側へ延びる連結片１６，１６に設けた溝に嵌り、該連結片１６，１６に設けた軸ネジ１５，１５を介して連結プレート１４と両連結片１６，１６が連結している。
【００２４】
そして、連結片１６，１６には係合穴１７，１７を有し、上記連結プレート１４の両端部に設けている凸片１８，１８が上記係合穴１７，１７に係合している。従って、左フロント部３及び右フロント部４は連結プレート１４にて連結されると共に、その向きが変わらないように係合穴１７，１７に凸片１８，１８が係合して位置決めされる。
【００２５】
そして、左フロント部３及び右フロント部４のリム５，５には取付け穴１９，１９が形成され、この取付け穴１９，１９を利用して鼻当てパット８，８を取付ける脚７，７が取着される。勿論、該脚７，７はリム５，５の表面に直接ロウ付けすることも可能である。
【００２６】
図８はフロント部１が二つ折りされて、左フロント部３と右フロント部４が対向している状態を表している。左右フロント部３，４は両軸ネジ１５，１５を中心として旋回して二つ折りされ、この際、連結プレート１４の表面から突出している凸片１８，１８は係合穴１７，１７から離脱する。
【符号の説明】
【００２７】
１   フロント部
２   ツル
３   左フロント部
４   右フロント部
５   リム
６   レンズ
７   脚
８   鼻当てパット
９   連結部
10   主継手
11   従継手
12   フロント部側ツル片
13   先端部側ツル片
14   連結プレート
15   軸ネジ
16   連結片
17   係合穴
18   凸片
19   取付け穴
【図１】
2016020958.tif 000003
【図２】
2016020958.tif 000004
【図３】
2016020958.tif 000005
【図４】
2016020958.tif 000006
【図５】
2016020958.tif 000007
【図６】
2016020958.tif 000008
【図７】
2016020958.tif 000009
【図８】
2016020958.tif 000010